(57)【要約】【課題】水の補給が簡単で清掃もし易く、皿型で安定度があり、減った水の量だけ補給する自動給水器を備えたペット動物用または植物用の自動給水器を提供する。【解決手段】一定の幅を有する底面２ａの両側から外壁３と内壁４を各立ち上げた断面コ字状の給水タンク２であって、その外壁３と内壁４間に水を注ぎ、その上方から受皿１を被せて水がこぼれないように全体を返し、受け皿１中央の水溜め場８に空気穴６に達するまで水を注いだ後、栓６を抜いて使用するようにしたものであり、前記受皿１が低い周壁１ａを備え、その周壁１ａを給水タンク２の外壁３に嵌め込むようにした。また前記給水タンク２の内壁４の最下端に少なくとも１個の切欠き穴５を設け、また内壁４の上方に空気穴６を設け、切欠き穴５から出る水を受皿１中央の水溜め場８に溜め込むようにした。【選択図】図３
0003125306.tif 000002
【実用新案登録請求の範囲】
【請求項１】
一定の幅を有する底面（２ａ）の両側から外壁（３）と内壁（４）を各立ち上げた断面コ字状の給水タンク（２）であって、その外壁（３）と内壁（４）間に水を注ぎ、その上方から受皿（１）を被せて水がこぼれないように全体を返し、受け皿（１）中央の水溜め場（８）に空気穴（６）に達するまで水を注いだ後、栓（６）を抜いて使用するペット動物用または植物用の自動給水器。
【請求項２】
前記受皿（１）が低い周壁（１ａ）を備え、その周壁（１ａ）を給水タンク（２）の外壁（３）に嵌め込むようにした請求項１記載のペット動物用または植物用の自動給水器。
【請求項３】
前記給水タンク（２）の内壁（４）の最下端に少なくとも１個の切欠き穴（５）を設け、また内壁（４）の上方に空気穴（６）を設け、切欠き穴（５）から出る水を受皿（１）中央の水溜め場（８）に溜め込むようにした請求項１または請求項２記載のペット動物用または植物用の自動給水器。
【考案の詳細な説明】
【技術分野】
【０００１】
本考案は、ペット動物用または植物用の自動給水機構を備えた給水器に関する。
【背景技術】
【０００２】
現在、市販されているペット用水飲み容器は深い皿状であるが、１回飲むと直ぐ空になり水を補給せねばならない。また簡単なペットボトルを利用した自動給水器もあるが、容器の隅にペットボトルに水を入れ逆さに立てたものは倒れやすく安定した給水が出来ない。また動物が口で吸う吸出し式の給水器もあるが、動物自身の口で水を吸い出すため、口の隅から飲み水がポトポトこぼれ、床面を水びたしにする欠点がある。自動給水器として動物用は特許文献１、２が開示されており、また植物用として特許文献３がある。
【特許文献１】特開２００４−２１５６１３１号公報
【特許文献２】登録実用新案第３０９９００３号公報
【特許文献３】特開平１１−６９９１９号公報
【考案の開示】
【考案が解決しようとする課題】
【０００３】
水の補給が簡単で清掃もし易く、皿型で安定度があり、減った水の量だけ補給する自動給水器を備えたペット動物用または植物用の自動給水器を提供する。
【課題を解決するための手段】
【０００４】
本考案のペット動物用または植物用の自動給水器は、一定の幅を有する底面２ａの両側から外壁３と内壁４を各立ち上げた断面コ字状の給水タンク２であって、その外壁３と内壁４間に水を注ぎ、その上方から受皿１を被せて水がこぼれないように全体を返し、受け皿１中央の水溜め場８に空気穴６に達するまで水を注いだ後、栓６を抜いて使用するようにしたものであり、また前記受皿１が低い周壁１ａを備え、その周壁１ａを給水タンク２の外壁３に嵌め込むようにした。
【０００５】
また前記給水タンク２の内壁４の最下端に少なくとも１個の切欠き穴５を設け、また内壁４の上方に空気穴６を設け、切欠き穴５から出る水を受皿１中央の水溜め場８に溜め込むようにしたこと等を特徴としている。
【考案の効果】
【０００６】
本考案のペット動物用または植物用の自動給水器は、以下のような効果を有する。
１．減った量だけ自動給水出来るので手間がかからない。
２．給水タンク２を返し、外壁３と内壁４間に水を注ぎ、その上方から受皿１を被せ、そのまま返すだけで使用できるので構造も簡単で使い易い。
３．平らな皿型なので安定性がありペット動物も水が飲みやすい。
４．逆に裏返して被せた受皿を外せば給水タンク内（外壁と内壁）が露出するので清掃も容易であり、きれいな水を容易に供給することができる。
５．また中央の水溜め場に花を置くことも出来るので給水容器を浅めに作れば自動給水機能を有する生け花用水盤としても利用できる。
【考案を実施するための最良の形態】
【０００７】
一定の幅を有する底面２ａの両側から外壁3と内壁４を各立ち上げた断面コ字状の給水タンク２であって、その外壁３と内壁４間に水を注ぎ、その上方から受皿１を被せて水がこぼれないように全体を返し、中央の水溜め場８に空気穴６に達するまで水を注いだ後、栓６を抜いて使用するようにしたものであり、また前記受皿１が低い周壁１ａを備え、その周壁１ａを給水タンク２の外壁３に嵌め込むようにした自動給水器。
【実施例１】
【０００８】
本考案のペット動物用または植物用の自動給水装置付給水器は、図１に示すように低い周壁１ａを備えた円形の受皿１と、この受皿１の周壁１ａ内に嵌り込むドーナツ型の給水タンク２とで構成する。そして中央部が空所になっているドーナツ型の給水タンク２は、図２に示すように天井の無い断面コ字状であって一定の幅を有する底面２ａの両端から外壁３と内壁４を各立ち上げて形成する。また外壁３と内壁４の高さは同じで前記受皿１の周壁１ａよりもかなり高く設定してある。
【０００９】
またリングの外径は受皿１の周壁１ａ内に嵌り込むように受皿１の直径よりやや小さく設定してある。また内壁４の最下端に小さな切欠き穴５が、その上方に飲み水の満水位置となる空気穴６が設けられている。尚、給水タンク２はこの実施例では受皿１が円形、そして嵌めこむ給水タンク２も円形のドーナツ型としたがそれにこだわらず３角形、４角形など多角形の受皿形状に合わせ、その周壁に嵌り込む一定幅の底面から立ち上げた外壁と内壁を有する断面コ字状の溝を備えたタンクであれば良い。
【００１０】
そして使用する時は、以下の手順で給水タンクへ水を補給する。
１．先ず図２の状態に給水タンク２を裏返し、空気穴６を栓７で塞ぐ。
２．次いで給水タンク２の外壁３と内壁４間の溝内に上までいっぱい水を注ぎ込む。
３．受け皿１を逆さにして給水タンク２に上から被せ、そのまま水がこぼれないように全体をひっくり返す。（図３）
４．この状態で内壁４より中央の水溜め場８に空気穴６が塞がるまで水を注ぐ。
５．そして空気穴６に差し込んでおいた栓７を抜く。
【００１１】
ペット犬や猫は給水タンク２の水溜め場８に溜まった水を飲むのであるが、動物、植物の吸水や自然蒸発により空気穴６以下に水位が減少すれば、空気穴６から給水タンク２内に空気が流入し、タンク２内の水が切欠き穴５より受け皿１中央の水溜め場８に注水され飲んだ量、すなわち減少した量ほど水溜め場８に補給される。そして空気穴６まで水位が達した時に空気穴６が塞がれ注水が止まる。これをタンク内の水が無くなるまで繰り返す。
【００１２】
本考案の給水器は、アルミ、鉄板、銅板、ステンレス板で製作しても良くプラスチック樹脂成型品としても良い。また動物用の場合は大動物、小動物と給水量も違うため使用目的に合った給水器全体の高さや直径等を適宜設定する。また給水タンク内側の空気穴６と切欠き穴５のサイズ、数も目的に合わせ適宜設定する。
【００１３】
この給水器は生け花用の水盤としてもそのまま使用でき、補充水の心配もなく、常に安心の水切れのない水盤となる。また使用目的により必要貯水量に合った大きさ、または給水器全体の高さや形の製品に製作することができる。
【００１４】
また動物用として使用の場合は、主に屋内用のペットの水飲み器として使用できる。また植物用では岩松やその他鉢物の給水や生け花用の水盤としても使用できる。いずれの場合も給水タンクを満水にしてひっくり返して給水受け皿の上に置くだけで、毎日の水やりの心配から解放され、給水タンク内の水がなくなるまで常に安定した自動給水ができる。
【図面の簡単な説明】
【００１５】
【図１】受皿１とドーナツ型給水タンク２の関係を示す説明図である。
【図２】裏返した給水タンク２に受け皿１を被せる前の状態図である。
【図３】受皿１に給水タンク２を嵌めこんだ状態の断面図である。
【符号の説明】
【００１６】
１  受皿
１ａ  受皿の周壁
２  給水タンク２
２ａ  給水タンクの底面
３  外壁
４  内壁
５  注水穴
６  空気穴６
７  栓
８  水溜め場
【図１】
0003125306.tif 000003
【図２】
0003125306.tif 000004
【図３】
0003125306.tif 000005
【手続補正書】
【提出日】平成18年7月12日(2006.7.12)
【手続補正１】
【補正対象書類名】図面
【補正対象項目名】図３
【補正方法】変更
【補正の内容】
【図３】
0003125306.tif 000006